(57)【要約】【課題】この発明は、建造物の屋根と天井との間に形成される空間部分に雨水が浸入することなく、該空間部分の換気を促すための棟部の換気構造に関する。【解決手段】この発明の棟部の換気構造１は、前記面戸部材６が、該面戸部材６を棟材３に取付けるための上部固定板７と、前記内部空間Ｘから外側へ貫通する通気孔８を有する側面板９と、前記側面板９の下端部に前記屋根瓦５の表面に沿うように形成された下端縁部１０と、を具備すると共に、前記面戸部材６の内側に密接固定され、前記屋根瓦５の表面に沿うように形成された下面部１１と、前記通気孔８と密接する箇所に内部空間Ｘから該通気孔８と連通するように形成された通気溝１２と、を具備する換気部材１３と、前記換気部材１３の下面部１１に沿うように形成され、該下面部１１と前記屋根瓦５の間に密接介在する弾性気密部材１４とを具備してなるものである。【選択図】図４
2008088757.tif 000002
【特許請求の範囲】
【請求項１】
建造物の棟部の棟材に沿って載置固定される冠瓦と、該冠瓦の下方に敷設された屋根瓦との間に設けられた、前記棟材を長手方向に渡って覆う面戸部材の内部空間に形成される棟部の換気構造において、
前記面戸部材が、
該面戸部材を棟材に取付けるための上部固定板と、前記内部空間から外側へ貫通する通気孔を有する側面板と、前記側面板の下端部に前記屋根瓦の表面に沿うように形成された下端縁部と、を具備すると共に、
前記面戸部材の内側に密接固定され、前記屋根瓦の表面に沿うように形成された下面部と、前記通気孔と密接する箇所に内部空間から該通気孔と連通するように形成された通気溝と、を具備する換気部材と、
前記換気部材の下面部に沿うように形成され、該下面部と前記屋根瓦の間に密接介在する弾性気密部材と、
を具備することを特徴とする棟部の換気構造。
【請求項２】
前記通気溝が、前記面戸部材と該面戸部材の内側に密接する前記換気部材の境界面に沿って形成されることを特徴とする請求項１記載の棟部の換気構造。
【発明の詳細な説明】
【技術分野】
【０００１】
この発明は、建造物の屋根と天井との間に形成される空間部分に雨水が浸入することなく、該空間部分の換気を促すための棟部の換気構造に関する。
【背景技術】
【０００２】
建造物の屋根と天井の間に形成される空間、すなわち小屋裏は、日本の気候風土上、夏季には該小屋裏の温度が高温となることから、その周辺を構成する木材の含水率が極端に低下することにより該木材の耐久性をも低下させ、また、冬季には該小屋裏内に結露が発生し、その周辺を構成する木材及び金属製の金具等を腐食させるという問題が生じていた。そして、これらの問題を解決すべく、小屋裏の換気を促すために図１１に示すように、屋根瓦１０１に面して立設状に位置されかつ該屋根瓦１０１の表面形状に沿う形状に形成された縁部１０２を有する面戸脚部１０３と、棟用瓦１０４の下部に位置されかつ棟材１０５側に定置される取付片部１０６を有する支持片１０７とを備え、この支持片１０７の内面側には一方側が該支持片１０７の内面側に連通されかつ他方側が前記面戸脚部１０３の内面側に開放された多数の小径の通路を組み合わせた通気路１０８を形成し、前記面戸脚部１０３には、その縁部１０２に前記屋根瓦１０１の表面に当接されてその隙間を遮蔽可能な所定厚さの弾性部材１０９を配設するとともに、前記通気路１０８の開放側と連通されかつ該通気路１０８の通路より大径の開口部１１０が形成された棟用面戸１１１を用いた建造物の棟部に換気構造を設ける方法が考案されている（例えば特許文献１）。
【０００３】
【特許文献１】特許第３６０２２８８号公報
【発明の開示】
【発明が解決しようとする課題】
【０００４】
しかし、上述のような棟用面戸を用いた棟部の換気構造においては、台風等の横風を伴う雨の際には、屋根瓦と冠瓦の間の空間部分からの雨水の侵入に対する水密性に乏しく、小屋裏に雨が浸入し、その結果内部の木材や金属製の金具等が腐食する等の問題が生じる可能性がある。また、通気路を形成する工程が煩雑なこともあり、前述の棟用面戸、さらには換気構造全体を施工するための工程全体が煩雑となる。
【０００５】
この発明は上記のような種々の課題を解決することを目的としてなされたものであって、台風等の横風を伴う雨の際にも水密性を保持し、さらに施工の工程が簡便である棟部の換気構造に関する。
【課題を解決するための手段】
【０００６】
上記目的を達成するために、請求項１記載の棟部の換気構造は、建造物の棟部の棟材に沿って載置固定される冠瓦と、該冠瓦の下方に敷設された屋根瓦との間に設けられた、前記棟材を長手方向に渡って覆う面戸部材の内部空間に形成される棟部の換気構造において、前記面戸部材が、該面戸部材を棟材に取付けるための上部固定板と、前記内部空間から外側へ貫通する通気孔を有する側面板と、前記側面板の下端部に前記屋根瓦の表面に沿うように形成された下端縁部と、を具備すると共に、前記面戸部材の内側に密接固定され、前記屋根瓦の表面に沿うように形成された下面部と、前記通気孔と密接する箇所に内部空間から該通気孔と連通するように形成された通気溝と、を具備する換気部材と、前記換気部材の下面部に沿うように形成され、該下面部と前記屋根瓦の間に密接介在する弾性気密部材と、を具備することを特徴としている。
【０００７】
請求項２記載の棟部の換気構造は、前記通気溝が、前記面戸部材と該面戸部材の内側に密接する前記換気部材の境界面に沿って形成されることを特徴としている。
【発明の効果】
【０００８】
請求項１記載の棟部の換気構造は、面戸部材の側面板に内部空間から外側へ貫通する通気孔を有し、該面戸部材の内側に密接固定された換気部材には該通気孔と密接する箇所に内部空間から該通気孔と連通するように形成された通気溝を有していることから、面戸部材の外部空間から内部空間へ空気の往来を可能とすると共に、外部空間から内部空間への雨水の浸入を防ぐことができる。また、面戸部材の下端部が瓦屋根の表面に沿うように形成され、換気部材が面戸部材の内側に密接固定されると共に、その下面部が屋根瓦の表面に沿うように形成され、弾性気密部材が換気部材の下面部に沿うように形成されているので、面戸部材、換気部材、弾性気密部材の結合が容易であり施工性を向上することができ、また、換気性能を損なうことなく屋根瓦を含めた各部材間の隙間から雨が面戸部材の内部空間に進入することがない。
【０００９】
請求項２記載の棟部の換気構造は、通気溝が、前記面戸部材と該面戸部材の内側に密接する前記換気部材の境界面に沿って形成されていることにより、面戸部材の外部空間から内部空間への経路が長くなるため、台風等の横風を伴う雨に対しても水密性を保持することができ、内部空間へ雨水が浸入することがない。
【発明を実施するための最良の形態】
【００１０】
この発明における棟部の換気構造１の最良の実施形態について、以下図１及び図４に基づいて説明する。この実施例の棟部の換気構造１は、建造物の棟部２の棟材３に沿って載置固定される冠瓦４と、該冠瓦４の下方に敷設された屋根瓦５との間に設けられた、前記棟材３を長手方向に渡って覆う面戸部材６の内部空間Ｘに形成される棟部の換気構造１において、前記面戸部材６が、該面戸部材６を棟材３に取付けるための上部固定板７と、前記内部空間Ｘから外側へ貫通する通気孔８を有する側面板９と、前記側面板９の下端部に前記屋根瓦５の表面に沿うように形成された下端縁部１０と、を具備すると共に、前記面戸部材６の内側に密接固定され、前記屋根瓦５の表面に沿うように形成された下面部１１と、前記通気孔８と密接する箇所に内部空間Ｘから該通気孔８と連通するように形成された通気溝１２と、を具備する換気部材１３と、前記換気部材１３の下面部１１に沿うように形成され、該下面部１１と前記屋根瓦５の間に密接介在する弾性気密部材１４とを具備してなるものである。
【００１１】
そして、必要に応じて前記通気溝１２が、前記面戸部材６と該面戸部材６の内側に密接する前記換気部材１３の境界面に沿って形成されるものである。
【００１２】
建造物の棟部２の構造は、本願実施例においては、図１及び図２に示すように、棟木１５にはその両側に垂木１６が勾配を付けて取付けられており、該垂木１６の上方には屋根の下地材として野地板１７が取付けられている。そして、野地板１７の上方には、屋根瓦５と該野地板１７の間の通気性を良好にするために、垂木１６と直行するように桟木１８が設けられており、さらに該桟木１８の上方に屋根瓦５が釘やネジ等によって載置固定されている。また、屋根瓦５は隣接する屋根瓦５の隙間から雨水が浸入しないように互いに重なり合うようにして載置固定されている。そして、野地板１７の上面にその下部が固定され、上部の略コの字型の支持部において棟材３を支持固定する棟材支持金具１９により該棟材３が支持固定されている。しかし、これらの建造物の棟部２の構造は、本願実施例の構造に限定されるものではなく、適宜変更することが可能である。
【００１３】
前記冠瓦４は建造物の棟材３に沿って載置固定され、図１に示すように、本願実施例においては、断面積が円弧状であり、棟材３方向に長尺となるように形成された冠瓦４を用いているが、これらの断面形状は、例えば三角形若しくは多角形となってもよく、また、該冠瓦４の外周面に意匠模様等が施されていてもよい。
【００１４】
前記面戸部材６は、該面戸部材６を棟材３に取付けるための上部固定板７と、前記内部空間Ｘから外側へ貫通する通気孔８を有する側面板９と、前記側面板９の下端部に前記屋根瓦５の表面に沿うように形成された下端縁部１０とを具備するものである。そして、本願実施例においては、図４に示すように、上部固定板７は、棟材取付金具１９によって略水平に支持固定された棟材３の幅と同等若しくはそれ以上の幅を有し、該棟材３の上部への取付時に使用するネジ穴等が適宜設けられている。そして、上部固定板７の幅方向両端から該上部固定板７と連続して下方に傾斜する傾斜板２０が形成され、該傾斜板２０と連続して略鉛直下方に側面板９が形成されている。
【００１５】
また、略鉛直方向に形成された側面板９には、本願実施例においては、例えば直径８ｍｍの通気孔８が、面戸部材６の長手方向に７列、鉛直方向に２段設けられている。そして、これらの通気孔８の大きさや数、及び形状は本願実施例に限定されるものではなく、建造物に必要な換気量、すなわち屋根の大きさ等に応じて適宜変更することが可能である。そして、側面板９の下端部に形成された下端縁部１０は、屋根瓦５と面戸部材６の下端縁部１０の間隔が不均一となり、換気性能、及び水密性能が棟部２の場所によって不均一となることを防ぐために、屋根瓦５の表面形状と略同等、すなわち該屋根瓦５の表面形状に沿うように形成されている。そして、面戸部材６は、図１及び図８に示すように、該面戸部材６を１つで３枚分の屋根瓦５を覆うようにして棟部の換気構造１を構成できるように棟材３方向に長尺に形成されているが、これらの面戸部材６の長さは適宜変更することができる。
【００１６】
前記換気部材１３は、前記面戸部材６の内側に密接固定され、前記屋根瓦５の表面に沿うように形成された下面部１１と、前記通気孔８と密接する箇所に内部空間Ｘから該通気孔８と連通するように形成された通気溝１２とを具備している。そして、換気部材１３は、軽量で、成型加工性に優れ、且つ安価で耐候性のある樹脂材料が好ましく、本願実施例においては、例えば発泡ポリスチレンが用いられているが、これらの材料に限定されるものではなく、その他にポリウレタン等を適宜使用することができる。また、本願実施例においては、図６に示すように、換気部材１３の上部１３ａと側部１３ｂが、それぞれ面戸部材６の傾斜板２０と側面板９とに、両面テープや接着剤等の固定手段により、これらを接合した境界面から内部空間Ｘへの雨水が浸入しないように密着固定されている。また、換気部材１３の棟材３方向の長さは、本願実施例においては、図６及び図７に示すように、屋根瓦５を３枚分覆うように形成された面戸部材６に対して、屋根瓦５を１枚分覆う長さに形成されているが、該面戸部材６と同様に屋根瓦５を３枚分覆うように形成されていてもよく、その長さは適宜変更することが可能である。
【００１７】
また、通気溝１２は、本願実施例においては、換気部材１３の上部１３ａから側部１３ｂにかけて連続的に、例えば深さ５ｍｍ、幅１０ｍｍとなるように形成されている。そして、これらの通気溝１２は、図６に示すように、面戸部材６の内側に換気部材１３を密接固定した際には、面戸部材６と該面戸部材６の内側に密接する換気部材１３の境界面に沿うように形成され、さらに、該面戸部材６の側面板９の通気孔８が形成された箇所に通気溝１２が位置するように形成されている。すなわち、通気溝１２は通気孔８と面戸部材６の外部空間Ｙから内部空間Ｘへ連通するため、該面戸部材６の外部空間Ｙから内部空間Ｘへ空気の往来が可能となっているのである。
【００１８】
さらに、これにより、面戸部材６の外部空間Ｙから内部空間Ｘまでの距離が長くなるため、空気の往来は可能となるものの、台風等の横風を伴う雨に対しても該内部空間Ｘへの雨水の浸入を防止することができる。さらに、本願実施例においては、図５に示すように、面戸部材６の側面板９が略垂直に形成されていることから、冠瓦４と屋根瓦５との間の空間部分に雨が吹き込み、雨水が通気孔８から浸入したとしても、換気部材１３の側部１３ｂに形成されている通気溝１２の側壁に衝突することによって、そのまま下方に流れ落ちるのである。従って、面戸部材６の内部空間Ｘへの雨水の浸入をより確実に防ぐことができる。また、前述のように通気溝１２の側壁を伝って下方へ流れ落ちた雨水は、その後自然に通気孔８から流れ出たり、面戸部材６の内部空間Ｘから外部空間Ｙへ吹き出す風によって通気孔８から流れ出たりするのである。これにより、換気性能を損なうことなく、水密性を向上することができる。
【００１９】
そして、換気部材１３の下面部１１は、屋根瓦５と弾性気密部材１４を介して接するため、屋根瓦５の表面形状と略同等、すなわち該屋根瓦５の表面形状に沿うように形成されている。また、通気溝１２の深さや、幅等は屋根の大きさに応じて適宜変更することができ、また、その形状も図９に示すような換気部材１３の上部から側部にかけて直線状のものでもよいが、その他、さらに面戸部材６の外部空間Ｙから内部空間Ｘまでの距離を長くするために、通気孔８の形状をジグザグ形状等としてもよい。
【００２０】
前記弾性気密部材１４は、換気部材１３の下面部１１に沿うように形成され、該下面部１１と屋根瓦５の間に密接介在している。そして、弾性気密部材１４は、弾性を有し、軽量で、成型加工性に優れ、且つ安価で耐候性のある樹脂材料が好ましく、本願実施例においては、例えばEPDM（エチレン−プロピレン−ジエンゴム）が使用され、ジエンとしては、エチリデンノルボルネン、ジシクロペンタジエン、1,4-ヘキサジエン等を始めとした物質が用いられる。しかし、弾性気密部材１４に用いられる材料は、これらに限定されるものではなく、その他にSBR（スチレン−ブタジエンゴム）等を適宜使用することができる。
【００２１】
そして、弾性気密部材１４は、本願実施例においては、図６及び図１０に示すように、屋根瓦５の表面に沿うように形成された換気部材１３の下面部１１に沿うように、すなわち、該弾性気密部材１４も屋根瓦５の表面に沿うように形成されている。そして、弾性気密部材１４は、換気部材１３の下面部１１に両面テープや接着剤等の固定手段により、該下面部１１と該弾性気密部材１４との境界面から内部空間Ｘへの雨水の浸入を防止できるように密着固定されている。また、弾性気密部材１４と屋根瓦５とが接する境界面においては、両面テープや接着剤等の固定手段により固定してもよいが、面戸部材６の内部空間Ｘに形成された棟部の換気構造１を棟材３に取付ける際に、図３に示すように、屋根瓦５の上に載置された状態から釘やネジ等の固定金具２１で上方から面戸部材６を矢印Ｕ方向に押さえつけるように棟材３に固定する。これにより、図４に示すように、弾性気密部材１４が弾性変形し、屋根瓦５と弾性気密部材１４の境界面から雨水が浸入しないように該弾性気密部材１４と屋根瓦５が密着固定されている。そして、弾性気密部材１４の棟材３方向の長さは、本願実施例においては、図６に示すように、換気部材１３と同様に、屋根瓦５を１枚分覆うように形成されているが、これらの長さも適宜変更可能である。
【００２２】
以上のように構成される、本願実施例の棟部の換気構造１の施工方法及び空気の循環経路に関して以下に説明する。
【００２３】
まず、図６に示すように、面戸部材６の側面板９から傾斜板２０にかけて内接するように形成された換気部材１３を、それぞれ面戸部材６の内側に接着剤等の固定手段により密接固定する。その際には、面戸部材６の側面板９に形成された通気孔８と、換気部材１３の上部１３ａから側部１３ｂにかけて形成された通気溝１２とが連通するように密接固定する。そして、弾性気密部材１４を図６に示すように、換気部材１３の下面部１１に接着剤等の固定手段により密接固定する。このように棟部の換気構造１が構成されることで、通気孔８と通気溝１２が連通された箇所以外、すなわち面戸部材６と換気部材１３の境界面、及び換気部材１３と弾性気密部材１４の境界面から雨水等が面戸部材６の外部空間Ｙから内部空間Ｘに侵入することがない。また、それぞれの部材が互いに対応するように形成されているため、部材同士の結合が容易であり、施工性を向上することができる。
【００２４】
そして、上述のように構成された棟部の換気構造１を、建造部の棟部２に取付ける際には、図３に示すように、その上方から棟材３を面戸部材６の内部空間Ｘで内包するように載置する。そして、該面戸部材６の上方に冠瓦４を乗せ、釘やネジ等の固定金具２１をその上方から該冠瓦４さらには面戸部材６の上部固定板７を貫通し、棟材３に打ち込まれるようにして、棟部の換気構造１が取付けられている。そのため、図４に示すように、面戸部材６は、冠瓦４と共に屋根瓦５に矢印Ｕ方向に押さえつけられるように載置固定されているので、弾性気密部材１４が弾性変形することで互いに密着し該弾性気密部材１４と屋根瓦５の境界面から雨水等が進入することがないのである。
【００２５】
従って上述のように形成された棟部の換気構造１において、天井と屋根との間に形成される空間から流れてきた空気が、面戸部材６の内部空間Ｘに到達し、図４の矢印Ａに示すような経路を通って、該面戸部材６の外部空間Ｙに排出されるのである。また、面戸部材６の外部空間Ｙから内部空間Ｘへ空気が流入する際には、矢印Ａに示す経路の反対方向の経路を空気が通るのである。その際には、台風等の横風を伴う雨に対しても、上述のように通気性を損なうことなく、雨水の浸入を確実に防ぐことができる。
【産業上の利用可能性】
【００２６】
この発明の棟部の換気構造は、平板瓦、和形瓦、洋瓦等、瓦の形状に依存することなく利用可能である。
【図面の簡単な説明】
【００２７】
【図１】本願実施例における棟部の換気構造を利用した建造物を示す図
【図２】本願実施例における棟部の換気構造の断面図
【図３】本願実施例における棟部の換気構造の取付時の断面図
【図４】本願実施例における棟部の換気構造の取付後の断面図
【図５】本願実施例における棟部の換気構造における空気の流れを示す図
【図６】本願実施例における棟部の換気構造の構成を示す図
【図７】本願実施例における棟部の換気構造の全体斜視図
【図８】本願実施例における面戸部材の斜視図
【図９】本願実施例における換気部材の斜視図
【図１０】本願実施例における弾性気密部材の斜視図
【図１１】従来技術を示す図
【符号の説明】
【００２８】
１      棟部の換気構造
２      棟部
３      棟材
４      冠瓦
５      屋根瓦
６      面戸部材
７      上部固定板
８      通気孔
９      側面板
１０    下端縁部
１１    下面部
１２    通気溝
１３    換気部材
１４    弾性気密部材
２１    固定金具
【図１】
2008088757.tif 000003
【図２】
2008088757.tif 000004
【図３】
2008088757.tif 000005
【図４】
2008088757.tif 000006
【図５】
2008088757.tif 000007
【図６】
2008088757.tif 000008
【図７】
2008088757.tif 000009
【図８】
2008088757.tif 000010
【図９】
2008088757.tif 000011
【図１０】
2008088757.tif 000012
【図１１】
2008088757.tif 000013